(57)【要約】【課題】介護人の労力や負担を軽減し、高齢者、病人、寝たきり老人など身体を動かすことが困難ないし不自由な者を容易に入浴させることができる簡易入浴装置を提供する。【解決手段】高さ調整用の支台と、該支台上に位置し加圧流体の供給により囲壁が形成される可縮浴槽体と、該可縮浴槽体内に配され、加圧流体の供給・排出により浮沈可能な入浴者支えマットとを備えている。【選択図】図２
2005270340.tif 000002
【特許請求の範囲】
【請求項１】
高さ調整用の支台と、該支台上に位置し加圧流体の供給により囲壁が形成される可縮浴槽体と、該可縮浴槽体内に配され、加圧流体の供給・排出により浮沈可能な入浴者支えマットとを備えたことを特徴とする簡易入浴装置。
【請求項２】
支台が加圧流体によって上下方向に伸縮する構造を有し、上昇した支台が剛性板を含む安定化手段で支持されるようになっていることを特徴とする請求項１に記載の簡易入浴装置。
【請求項３】
支台が囲壁を有する漏水防止マット内に配されていることを特徴とする請求項１または請求項２に記載の簡易入浴装置。
【発明の詳細な説明】
【技術分野】
【０００１】
本発明は、たとえば寝たきり状態の者などに好適な簡易入浴装置に関する。
【背景技術】
【０００２】
高齢化社会になった今日では、高齢者、病人、寝たきり老人など身体を動かすことが困難ないし不自由な者が多くなっており、そうしたいわゆる要介護者は日常生活に欠かせない入浴を自分一人で行うことが困難なことが多い。
こうした要介護者を入浴させる場合、従来では一般に、介護人が要介護人をベッド類から抱き抱えあるいは車椅子などに乗せて離れた場所にある風呂場まで連れて行き、浴槽に入れて身体を洗い、入浴後、再び抱きかかえて運搬しあるいは車椅子でベッドまで運ぶ方法がとられていた。
【０００３】
しかし、要介護人をベッドから車椅子へ移したり、車椅子から浴槽に移したりそれらの逆の措置をするときの、要介護人を抱きかかえたり、支えたりする作業は重労働で、大いなる苦痛を伴うものであった。
【発明の開示】
【発明が解決しようとする課題】
【０００４】
本発明は前記のような問題点を解消するためになされたもので、その目的とするところは、介護人の労力や負担を軽減し、高齢者、病人、寝たきり老人など身体を動かすことが困難ないし不自由な者を容易に入浴させることができる簡易入浴装置を提供することにある。
【課題を解決するための手段】
【０００５】
上記目的を達成するため本発明は、高さ調整用の支台と、該支台上に位置し加圧気体の供給により囲壁が形成される可縮浴槽体と、該可縮浴槽体内に配され、加圧気体の供給・排出により浮沈可能な入浴者支えマットとを備えたことを特徴としている。
【発明の効果】
【０００６】
浴槽は嵩を小さく折畳みできるので、移動や保管が容易であり、要時に要介護者が横たわっているベッドなどに隣接した位置において簡単に組立て、ベッドとほぼ同じレベルに浴槽を配置することができ、しかも入浴者支えマットがあるため、これに要介護者を受支させ、マット内圧を変化させることで湯中に身体を沈ませたり、浮上させたりすることができる。
したがって、要介護者の浴槽への移動と、浴槽内での身体の支持と浮沈を非常に楽に行うことができ、介護人の労力や負担を著しく軽減することが可能である。
【発明を実施するための最良の形態】
【０００７】
支台が加圧気体によって上下方向に伸縮する構造を有し、上昇した支台が剛性板を含む安定化手段で支持されるようになっている。
これによれば、常態においては支台も小さく折り畳むことができ、使用時には浴槽の高さをベッド高さに応ずるように自在に調整できるとともに、浴槽体内の湯水の排出に好都合な落差を確保できる。また、剛性板を含む安定化手段を有しているため、浴槽体内の湯と人体の重量がかかっても浴槽を水平で安定した高さに保つことができる。
【０００８】
好適には、支台は囲壁を有する可縮性の漏水防止マット内に配されている。
普段は小さく折り畳まれ、移動が容易であり、使用時には、浴槽体内の湯水が漏れても床に漏れさせず、安全に入浴を行うことができる。
【実施例１】
【０００９】
以下、添付図面を参照して本発明の実施例を説明する。
図１と図２は本発明による簡易入浴装置を使用状態で示しており、図３ないし図９は各部を示している。
図１，２において、Ａは床面から所要の高さをもつベッドであり、入浴を希望する要介護者Ｃが横臥している。Ｂは前記ベッドＡの近傍に設置された本発明装置である。
【００１０】
本発明装置Ｂは、床上に配置された漏水防止マット１と、該漏水防水マット上に置かれた高さが変化可能な支台２と、該支台上に配され、加圧流体の供給により囲壁が形成される可縮浴槽体３と、可縮浴槽体３内に配され、要被介護人Ｃを仰向けの状態で支えかつ加圧流体の供給・排出により浮沈可能な入浴者支えマット４と、支台２が上昇した状態を固定するための安定化手段５と、前記支台２、可縮浴槽体３、入浴者支えマット４、漏水防止マット１の少なくとも一つに加圧流体を供給または給排する手段６とを備えている。
加圧流体としては、支台２に対するものを除いて、通常、圧縮空気が用いられるので、以下の説明では圧縮空気あるいはエアと表現する。
【００１１】
前記漏水防止マット１は、前記浴槽体３から湯水が溢れたり、万一毀れたりしたときに、その湯水を床に漏らさず貯めておくためのもので、ベッドＡに隣接した床に敷かれている。
この漏水防止マット１は、図３に示すように、全体が耐熱性のゴムで形成された可縮性のものであり、厚板ゴムなどの一定の剛性を有する底面１ａと、該底面１ａの周りの可縮性囲壁１ｂからなり、全体として浴槽体３の湯量よりも大きな貯湯を行なえる容積を備えている。
囲壁１ｂにはエア注入管１ｃと、注入された圧縮空気を排出するエア排出管１ｄが取り付けられており、また他所には内部と通じた排水栓１ｅが設けられており、要時に漏水防水マット内に溜まった湯を外へ排出できるようになっている。
【００１２】
前記支台２は、前記浴槽体３を支持するとともに、ベッドＡの上面と浴槽体上端部との高さの差を少なくする（好ましくは略一致させる）ための手段である。
支台２は固定した高さの硬質部材であってもよい。たとえば、１枚以上の硬質発泡ウレタンなどのマットや板でもよい。しかし、これによる高さ調整は面倒である。そこで、実施例では高さ変化自在な構造を採用している。ベッド高さが低い場合は、ベッド高さと浴槽体の囲壁上端部とほぼ水平に調節すると、浴槽体の底板３ａが床面近くまで下るので直接床面に浴槽体を置くことも可能である。しかし、入浴後の排水を容易にするためには、浴槽体を高くして落差を確保することが望ましいので、支台２の空気を抜いた状態で置き、その上に剛性板５ａを敷き、浴槽体を乗せ、この状態で入浴を行い、入浴後支台に空気を入れ、浴槽体を持上げ、排水を容易にする方法もある。
図４はその単体の状態を示しており、耐熱性ゴム製の襞が複数段積み重ねられて上下方向に伸縮可能な蛇腹式袋からなり、上面と下面にそれぞれ一定の剛性を有する板ないしシート２ａ，２ｂが取り付けられている。
支台２には、流体の注入管２ｃと排出管２ｄが取り付けられており、要時に流体を外へ排出できるようになっている。支台に対する流体は、空気でなく水であってもよい。
【００１３】
可縮浴槽体３は、図５に示すように、耐熱性のゴムなどからなる厚手で一定の剛性を有する底板３ａと、該底板部の周りの囲壁３ｂとを有している。囲壁３ｂは常態においては膨張しておらず、内部に圧縮空気が注入されることにより底板３ａに対して垂直に立ち上がって剛性化される。そのため、囲壁３ｂにはエア注入管３ｃと、使用の終わったときに圧縮空気を排出するエア排出管３ｄが取り付けられている。
【００１４】
また、囲壁３ｂの上部域には、湯を槽内に注入する給湯部３ｅと、水位が一定以上になったときに放出するオーバーフロー部３ｆが、囲壁３ｂの下部域には入浴後の湯を排出する排水部３ｇが、それぞれ囲壁の気密性を損なわないように設けられている。
【００１５】
入浴者支えマット４は、要介護人を仰向けの状態のまま受載し、その状態で湯中に浸からせ、また浮上させることを可能にする手段であり、耐熱性のゴムで形成され幅が人体の幅よりも適度に大きい長袋体４ａからなっており、長袋体４ａは幅方向が適度に持ち上がり中間が少しくぼんだハンモック形態をしていてもよい。長袋体４ａは、図６に示すように、中間部には、身体を保持し、ずれを防止するためにベルト４ｂが取り付けられている。
【００１６】
前記長袋体４ａは、身体の頭部が位置される側の端部に固定用部４ｃが延設されている。この固定用部４ｃは厚手のゴムなどで構成され、可縮浴槽体３の囲壁３ｂの上端を跨ぐように延び、囲壁３ｂ外壁部位に着脱可能に、かつ掃除などの際に可縮浴槽体３の囲壁３ｂ外に取り出せるよう、反転可能に取り付けられている。この固定用部４ｃはまた、入浴者支えマット４を湯に浮べたときに、横揺れ防止を図る役目を持っている。
【００１７】
前記固定用部４ｃの取り付け構造は任意であるが、この例では、図６（ｂ）に示すように、固定用部４ｃに穴４３を設け、前記浴槽壁の外面にゴム片４０を溶着することで定着された好ましくはプラスチック製のボルト４１に前記穴を貫挿してナット４２で締めつけている。
前記長袋体４ａ他端側には、膨張させて身体を支えた状態で身体を湯中に沈めるために、注入された圧縮空気を漸次排気するためのエア注排入管４ｄが接続されている。
入浴者支えマット４の浮沈速度制御を適切に行うために、給気・排気管を別々にし、ことに沈降速度の調節が自在に行えるよう排気管に手動バルブを取り付ける方法もある。
なお、長袋体４ａ内を隔壁により複数の室に仕切り、頭部載置部、上半身載置部、下半身載置部としてそれぞれの室ごとに空気の注排を行なうようにエア注排入管を接続してもよい。
【００１８】
安定化手段５は、浴槽体３内に湯を張り、浴槽体内に要介護人が入ることにより重量が増し、それによる浴槽体底部の湾曲や沈みと支台２の歪み発生を防止するために支台２と浴槽体３の間に介在される剛性板５ａと、これと協働して支台２を安定した高さで水平状に保ち、入浴動作に伴って支台２に不均衡な荷重がかかって浴槽体３に傾きや揺れが生じることを防止するステー５ｂからなっている。したがって、支台２が剛性材用で構成されている場合には、省略可能である。
【００１９】
図７は剛性板５ａを示しており、歪みや曲りが起こらず、充分な強度のある木製板や合成樹脂板が望ましい。場合によっては剛性板５ａは浴槽体３または支台体２に固定ないし一体化されていてもよい。
ステー５ｂは、折畳み自在で長さ可変な複数の脚柱、あるいはパンタグラフなどでもよい。この実施例では、図８のように、先端部にネジ孔５１を備えたベース５０と、一端が前記ネジ孔５１と螺合し、他端が前記剛性板５ａに設けられた貫通孔５００から突出する可能なロッド５２と、前記貫通孔５００より突出したロッド５２に螺合するナット５４から構成しており、前記漏水防止マット１の四隅に配置し、上昇した支台２の高さでナット５４を螺合して締めつけることでステー機能を得ている。
【００２０】
加圧空気類を供給または給排する手段６は、手動式のポンプであってもよい。
しかし、労力を要さず迅速に入浴装置を完成させるため、この実施例では、小型電動式のコンプレッサー６ａと、これからの圧縮空気を分配供給ないし給排するコントローラ６ｂとを備えている。
【００２１】
前記コンプレッサー６ａはエアホースを介して前記コントローラ６ｂに接続されている。コントローラ６ｂの吐出側は、前記漏水防止マット１、浴槽体３、入浴者支えマット４（実施例ではさらに支台２）の各エア注入管１ｃ、２ｃ、３ａ、４ｄにホース（好ましくはクイックジョイント付き）を介して各別に接続されており、コントローラ内部には、前記各部材に適した圧力と量の圧縮空気の供給、または給排気を制御する各種弁類やセンサー類が組み込まれている。
なお入浴者支えマット４については、浴槽近傍で入浴者の状態を観察しながら給排を行なえるよう、圧縮エアの給排系を専用のコントローラで結んだ別系統としもよい。
さらに、前記漏水防止マット１、支台２、浴槽体３、入浴者支えマット４のそれぞれに対応した個別のコントローラとし、各供給先ごとに圧縮空気の給排制御を行ってもよい。
【００２２】
本発明装置は上記基本構成のほか次のような構成を付してもよい。
頭部洗髪、シャワーによる身体の洗いの際に周辺を飛沫により汚すことがあるため、これを防ぐための飛散防止具９を付属品として有していてもよい。
この飛散防止具９は、図９に示すように、浴槽壁３ｂに取り付けられた可曲性のシート９ｂと、これを浴槽斜め上方に張る手段とからなる。
張り手段は、前記剛性板５ａの孔５１にナット締めされ、前記浴槽壁よりも上方に立設される一対の支持脚９ｃ，９ｃに竿９ａを配し、前記シート９ｂの一端を前記竿９ａにクリップ止めすることにより構成されている。
【００２３】
また、ベッドＡと浴槽体３間での要介護人の移動を容易にするため、図１のようにガイド手段１０を有していてもよい。
ガイド手段１０は、ベッドＡと浴槽体３との間に配する担架板１０ａと、これを支持する支柱１０ｂを有し、支柱１０ｂは漏水防止マット１に支持される。この実施例では安定化手段５のステー５ｂを利用して支柱１０ｂを継いでいる。
【００２４】
前記浴槽体３への湯の供給は任意であり、湯沸し器からホースを介して浴槽内に湯を供給してもよいし、専用の湯沸し器を使用してもよい。浴槽内に発熱器を装填して行なってもよい。また、附属設備として、水栓蛇口、シャワーの設備を具備するとよい。さらには、室内で入浴すると湿気が満ちるので浴槽体上に天蓋(フード)を取付け、水蒸気を捕捉し、除湿機に連結して湿気を取除く装置を具備してもよい。
【００２５】
次に実施例の作用を説明する。
図１のように、ベッドＡに横臥している要介護人Ｃを入浴させるに当たっては、ベッドＡの近傍に、漏水防止マット１を敷き、その漏水防止マット１の中央に支台２を置く。次に、支台２の上に剛性板５ａを乗せ、その上に入浴者支えマット４を取り付けた浴槽体３を乗せる。こうした操作は、部材がしぼんで嵩が小さいので容易である。前記各部材は予めコントローラ６ｂとホース７ａ，７ｂ，７ｃを介して接続する。
コントローラ６ｂの制御回路には浴槽壁、支台２、入浴者支えマット４、漏水防水マット１の順で、圧縮空気が供給されるシーケンスが組まれている。さらに、用途に応じて制御回路は個別装置に単独で操作することも可能である。
【００２６】
コンプレッサー６ａを作動すると、まず浴槽壁３ｂへの圧縮空気の供給が開始され、浴槽壁３ｂは徐々に膨らみ、底板３ａに対して垂直に剛に立ち上られる。それを確認後、圧縮空気が供給を止められ、次に、前記支台２に圧縮空気が供給される。支台２は蛇腹袋からなっているので、剛性板５ａと浴槽体３を保持しながら徐々に高さを増し、浴槽壁３ｂの上端がベッドＡの高さと略水平になったところで、支台２への圧縮空気の供給がストップされる。
この後、ステー５ｂを使用して剛性板５ａを現状の高さレベルに固定する。これにより、浴槽体３に湯を入れても、高さが変化したりかしいだりしない適切な安定状態が得られる。
【００２７】
次に、前記浴槽体３内に湯を張る。これは、湯沸し器からホースを介してあるいは専用の湯沸し器から供給するなど任意である。こうして浴槽体３内に湯が張られた後、前記入浴者支えマット４へ圧縮空気を供給する。長袋体４ａは要介護人がその上に横たわっても沈まない程度の空気圧が充填され、湯面に浮上される。
この状態で、ベッドＡより要介護人を横に移動させ、図１０（ａ）、（ｂ）のように入浴者支えマット４上に移す。要介護人を横に移動させる、ベッドＡの横臥レベルと浴槽体３の囲壁上端レベルとに段差がほとんどなく、要介護人を抱いてある距離移動する必要がないため労力が軽減される。
【００２８】
次に、入浴者支えマット４が上浮き上がっている状態から、前記エア排出管を介して内部空気を除々に抜いてよく。こうすれば浮力が減じかつ頭部側の固定用部４ｃが浴槽体３の囲壁に連結されているため、要介護人Ｃの重みによって図１０（ｃ）に示すように入浴者支えマット４の下半部が浴槽底面３ａに向かって沈み始め、さらに、圧縮空気を排出すると、入浴者支えマット４が屈折するように沈むため、図１０（ｄ）のように、要介護人は湯中に深く浸かることができる。
【００２９】
こうして、要介護人の身体が温まったならば、入浴者支えマット４に圧縮空気を供給すると、入浴者支えマット４が膨張して浮き上るため、図１０（ｄ）の状態から図１０（ｃ）を経て、図１０（ｂ）のようになる。したがって、介護人が要介護人の身体を容易に洗うことができる。また、洗っている途中で要介護人の身体が冷えたときは、入浴者支えマット４の圧縮空気を排出すればよく、図１０（ｂ）の状態から図１０（ｃ）を経て、図１０（ｄ）のように要介護人を自動的に浸漬できるため、温めることができる。以下、前記操作を必要回数繰り返し、シャワー等で仕上げを行なえばよい。
なお、飛散防止具９を使用すれば、湯がシート９ｂに当たって浴槽体３や漏水防止マット１内に落ちるため、床に飛び散ることもない。
【００３０】
入浴後、要介護人の身体を拭き、浮上状態にある入浴者支えマット４から横移動すれば、容易にベッドへ移すことができる。
こうして入浴作業が終わったならば、排出管３ｇの栓を抜き、浴槽体３内の湯を排出するが、支台２により落差が形成されているため迅速に行なえる。湯の排出後は、浴槽壁３ｂの空気を抜けば収縮して嵩が減少する。安定化手段のステー５ｂを外し、剛性板５ａを取り除いた後、支台２と漏水防止マッ１の圧縮空気を排出する。こうすれば、それらの嵩が小さくなり、折り畳み可能であるから簡単に持ち運びことができる。
【００３１】
なお、本発明装置は寝たきりの要介護者の入浴に好適であるが、例えば野外のキャンプ等で使用することもできる。
【図面の簡単な説明】
【００３２】
【図１】本発明による簡易入浴装置の一態様を使用状態で示す縦断正面図である。
【図２】同じくその縦断側面図である。
【図３】漏水防止マットの斜視図である。
【図４】支台の斜視図である。
【図５】浴槽体の斜視図である。
【図６】（ａ）は入浴者支えマットの側面図、（ｂ）は入浴者支えマットと浴槽体の取り合いを示す分解側面図である。
【図７】剛性板の斜視図である。
【図８】ステーの斜視図である。
【図９】（ａ）は飛散防止具を使用状態で示す側面図、（ｂ）端用部材の斜視図である。
【図１０】（ａ）（ｂ）（ｃ）（ｄ）は入浴過程を示す説明図である。
【符号の説明】
【００３３】
１  漏水防止マット
２  支台
３  浴槽体
３ｂ  囲壁
４  入浴者支えマット
４ｂ  固定用部
５  安定化手段
５ａ  剛性板
５ｂ  ステー
６  加圧流体供給手段
【図１】
2005270340.tif 000003
【図２】
2005270340.tif 000004
【図３】
2005270340.tif 000005
【図４】
2005270340.tif 000006
【図５】
2005270340.tif 000007
【図６】
2005270340.tif 000008
【図７】
2005270340.tif 000009
【図８】
2005270340.tif 000010
【図９】
2005270340.tif 000011
【図１０】
2005270340.tif 000012